(57)【要約】【課題】スロット加工機によってダンボールシートに切込み溝を加工した時に切屑である紙粉が、該切込み溝の切り口に付着したまま残存する。この紙粉をダンボールシートの搬送中において除去する。【解決手段】スロット加工機Ｄによって切込み溝Ｓ２を切り込み加工されたダンボールシートＳは上下一対のシート送り用コロ軸１とシート送り用ローラ２とからなるダイカッタユニットＦに送り込まれるが、上記シート送り用コロ軸１には上記スロット加工機Ｄの各スロットローラｄに対応させて回転ブラシ３がスロットローラｄの間隔毎に配設されてあり、これらの回転ブラシ３によってダンボールシートＳの切込み溝Ｓ２に付着している紙粉を掻き落とし除去するように構成している。【選択図】　　図１
2004098226.tif 000002
【特許請求の範囲】
【請求項１】
罫線及び切込み溝を加工されたダンボールシートの搬送途上に切込み溝に付着している紙粉の掻き落としブラシを配設していることを特徴とするダンボールシートの切込み溝の紙粉除去装置。
【請求項２】
掻き落としブラシは回転ブラシであって、スロット加工機のダンボールシート送り出し側に配設された上下一対のシート送り用コロ軸とシート送り用ローラにおけるシート送り用コロ軸に、上記スロット加工機のスロット軸に一定間隔毎に装着されている各スロットローラの後方にそれぞれ対応させてこれらのスロットローラと同一間隔毎に装着されていることを特徴とする請求項１に記載のダンボールシートの切込み溝の紙粉除去装置。
【請求項３】
回転ブラシはモータ駆動によって回転する一方、各回転ブラシが接触するシート送り用ローラの外周面に複数条の周溝を設けてあり、さらに、このシート送り用ローラを回転ブラシとの接触部分が開口している吸気ボックスによって被覆し、この吸気ボックスを吸気源に紙粉排出管路を通じて連通させていることを特徴とする請求項２に記載のダンボールシートの切込み溝の紙粉除去装置。
【請求項４】
掻き落としブラシはモータ駆動によって回転する回転ブラシであって、ダンボールシートの折り畳み装置におけるシート搬送手段の搬送始端部側の上方に、このシート搬送手段上に供給されるダンボールシートに設けている切込み溝に対向させて配設していることを特徴とする請求項１に記載のダンボールシートの切込み溝の紙粉除去装置。
【請求項５】
ダンボールシートの折り畳み装置は、ダンボールシートの両側に沿って該ダンボールシートの送り方向に縦列状に配設され且つダンボールシートの両側部を切込み溝から徐々に折り曲げていく複数個の成形コロからなり、これらの成形コロにおいて、少なくとも１個の成形コロの成形溝の外周面にブラシを植設することによって掻き落としブラシを形成していることを特徴とする請求項１に記載のダンボールシートの切込み溝の紙粉除去装置。
【発明の詳細な説明】
【０００１】
【発明の属する技術分野】
本発明は、スロット加工機によってダンボールシートに切込み溝を形成した際に、その切込み溝に付着している切屑である紙粉を除去するための装置に関するものである。
【０００２】
【従来の技術】
製函機は図５に示すように、加工前のダンボールシートＳの供給機構Ａと、このダンボールシートＳの適所に印刷を施す印刷装置Ｂと、ダンボールシートＳに罫線加工を施す罫線加工機Ｃと、切込み溝の加工を施すスロット加工機Ｄと、折り畳み装置ＥとをダンボールシートＳの送り方向に順次配設してなり、供給機構Ａ内に平面長方形状のダンボールシートＳが、その幅方向を送り出し方向に向けた状態で多数枚、積み重ねられていて供給機構Ａの下端開口部からキッカーによって一枚ずつ、順次送り出され、上記印刷装置Ｂによって、ダンボールケースに組立られた際における胴体部となる面に所定の印刷を施したのち、罫線加工機Ｃの罫線ローラｃによってダンボールケースの角筒状胴体部を折り曲げ形成するための罫線Ｓ１を図６に示すように加工し、引き続いて、スロット加工機Ｄのスロットローラｄに装着している切り込み刃によってダンボールケースの上蓋と底蓋のフラップＳ３、Ｓ４を形成するための切込み溝Ｓ２を加工し、しかるのち、折り畳み装置ＥによってダンボールシートＳの長さ方向の両側部が切込み溝Ｓ２を介して下方に折り畳まれている（例えば、特許文献１参照）。
【０００３】
【特許文献１】特公昭５８−１７０２２号公報。
【０００４】
【発明が解決しようとする課題】
しかしながら、近年、ダンボールシート用のライナーの紙質が極めて低下しており、そのため、上記製函機におけるスロット加工機Ｄのスロットローラｄに装着されている切り込み刃によって切込み溝Ｓ２を加工した際に、切り込み刃の切れ味が悪くなって該切込み溝Ｓ２の切り口である端面に切り屑である微細な紙粉が多量に付着した状態となり、このまま、折り畳み装置Ｅに送り込んで偏平状に折り畳んだのち、一定枚数毎に結束して客先に納品した場合、後日、大きなクレームが発生することになる。特に、食品関係にあっては紙粉が食品に付着する等の衛生的な面においても問題点が発生する。
【０００５】
本発明はこのような問題点に鑑みてなされたもので、その目的とするところは、ダンボールシートに切込み溝を加工したのち、その切込み溝に付着している紙粉を簡単且つ確実に除去することができるダンボールシートの切込み溝の紙粉除去装置を提供するにある。
【０００６】
【課題を解決するための手段】
上記目的を達成するために、本発明のダンボールシートの紙粉除去装置は、請求項１に記載したように、罫線及び切込み溝を加工されたダンボールシートの搬送途上に切込み溝に付着している紙粉の掻き落としブラシを配設した構造を有している。
【０００７】
上記ダンボールシートの紙粉除去装置において、請求項２に係る発明は、上記掻き落としブラシとして回転ブラシを採用し、この回転ブラシを、スロット加工機のダンボールシート送り出し側に配設された上下一対のシート送り用コロ軸とシート送り用ローラにおけるシート送り用コロ軸に、上記スロット加工機のスロット軸に一定間隔毎に装着されている各スロットローラの前方にそれぞれ対応させてこれらのスロットローラと同一間隔毎に装着した構造としている。
【０００８】
この請求項２に記載した発明において、請求項３に係る発明は、回転ブラシをモータ駆動によって回転させるようにする一方、各回転ブラシが接触するシート送り用ローラの外周面に複数条の周溝を設け、このシート送り用ローラを回転ブラシとの接触部分が開口している吸気ボックスによって被覆してこの吸気ボックスを吸気源に紙粉排出管路を通じて連通させた構造としている。
【０００９】
また、上記請求項１に記載のダンボールシートの紙粉除去装置において、請求項４に係る発明は、掻き落としブラシとしてモータ駆動によって回転する回転ブラシを用い、この回転ブラシをダンボールシートの折り畳み装置におけるシート搬送手段の搬送始端部側の上方に、このシート搬送手段上に供給されるダンボールシートに設けている切込み溝に対向させて配設していることを特徴とする。
【００１０】
一方、請求項５に係る発明は、ダンボールシートの切込み溝の紙粉除去装置としてダンボールシートの折り畳み装置を構成している成形コロによって形成していることを特徴としている。即ち、ダンボールシートの折り畳み装置は、ダンボールシートの両側に沿って該ダンボールシートの送り方向に縦列状に配設されてダンボールシートの両側部を切込み溝から徐々に折り曲げていく複数個の成形コロからなり、これらの成形コロにおいて、少なくとも１個の成形コロの成形溝の外周面にブラシを植設することによって掻き落としブラシを形成している。
【００１１】
【作用】
製函機のダンボールシート供給機構からその長さ方向を搬送方向に対して直角方向に向けた状態で前方に搬送された長方形状のダンボールシートは、罫線加工機に達すると、ダンボールケースに組み立てた際における該ケースの胴体部の四方側壁面の横幅間隔毎に複数個の罫線ローラによって前後長辺間に亘って罫線を加工されたのち、ケースの上記胴体部の高さに等しい間隔を存した各罫線の前後部に、スロット加工機のスロットローラに周方向に上記胴体部の高さに等しい間隔を存して装着した切り込み刃によってケースの上蓋と底蓋のフラップを分割形成するための前後切込み溝が形成される。この切込み溝の形成時に、切り込み刃による溝切断端面に切り屑である微細な紙粉が付着した状態で残存している。
【００１２】
このように、切込み溝に多量の紙粉が付着しているダンボールシートは、このダンボールシートの搬送途上において、ダンボールシートの前方への搬送方向に対して直角方向にダンボールシートの切込み溝の間隔毎に各切込み溝に対向するように配設している掻き落としブラシの下方に達すると、切込み溝が該切込み溝に対応する掻き落としブラシにその長さ方向の前端から後端に向かって摺接しながら通過し、この間に該切込み溝に付着している紙粉が掻き落としブラシによって掻き落とされるものである。
【００１３】
上記掻き落としブラシとしては回転ブラシを採用し、この回転ブラシをスロット加工機のダンボールシート送り出し側に配設されたシート送り用コロ軸に、上記スロット加工機のスロット軸に一定間隔毎に装着されている各スロットローラの後方にそれぞれ対応させてこれらのスロットローラと同一間隔毎に装着しておくことにより、別に回転ブラシの装着軸を設けることなく、これらの回転ブラシで、スロットローラによって加工された切込み溝に付着している紙粉を簡単且つ確実に掻き落とすことができる。
【００１４】
この場合、上記シール送り用コロ軸の下側に配設しているシート送り用ローラの外周面に複数条の周溝を設けておくと共に、このシート送り用ローラを回転ブラシとの接触部分が開口している吸気ボックスによって被覆し、該吸気ボックスを吸気源に紙粉排出管路を通じて連通させた構造とすることにより、上記シート送り用コロ軸に装着している回転ブラシによって掻き落とされた紙粉は、シート送り用ローラの周溝の上周部内に受け入れられ、該ローラの回転に伴って該紙粉は下方に移動して吸気ボックス内に発生している吸気力により周溝から離脱し、排出管路を通じて外部に排出される。従って、紙粉が作業現場に浮遊することなく作業環境が良好となる。
【００１５】
また、上記回転ブラシをダンボールシートの折り畳み装置側に配設しておいてもよい。この場合、折り畳み装置におけるシート搬送手段の搬送始端部側の上方に、このシート搬送手段上に供給されるダンボールシートに設けている切込み溝に対向させて配設しておくことにより、ダンボールシートの切込み溝に付着している紙粉を該回転ブラシの摺接、回転によって除去することができる。
【００１６】
さらにまた、上記ダンボールシートの折り畳み装置を構成している成形コロ列における少なくとも１個の成形コロの成形溝にブラシを植設して掻き落としブラシを形成しておいてもよい。この場合、成形コロは、ダンボールシートに加工された上記切込み溝の部分から該ダンボールシートの両側部を折り曲げるものであるから、この切込み溝が成形コロの成形溝に圧接しながら通過してその通過時に該切込み溝に付着している紙粉がブラシによって確実に掻き落とされるものである。
【００１７】
【発明の実施の形態】
次に、本発明のダンボールシートの紙粉除去装置の実施の形態を図面について説明すると、図１、図２は、上述した図５に示す製函機におけるスロット加工機Ｄと折り畳み装置Ｅとの間に介在、配設されているダイカッタユニットＦの簡略側面図と、このダイカッタユニットＦにおける上下一対のシート送り用コロ軸１とシート送り用ローラ２との簡略斜視図であって、上記シート送り用コロ軸１にダンボールシートＳに加工された切込み溝Ｓ２に付着している紙粉の掻き落とし用ブラシが装着されている。
【００１８】
この掻き落とし用ブラシは、円板部３ａの外周面に全周に亘り多数本のブラシ３ｂを植設してなる回転ブラシ３であって、シート送り用コロ軸１の長さ方向に所定間隔毎、即ち、上記スロット加工機Ｄのスロット軸に長さ方向に所定間隔毎に装着されている複数個のスロットローラｄと同一間隔毎に且つ各スロットローラｄの前方にそれぞれ対応させて配設されている。
【００１９】
各回転ブラシ３はその円板部３ａの中心部をベアリング（図示せず）を介してシート送り用コロ軸１の所定部分に回転自在に装着されてあり、このシート送り用コロ軸１の両端部を支持している機枠ｆに配設した回転駆動機構４によってシート送り用コロ軸１よりも高速で回転駆動させられるように構成している。
【００２０】
この回転ブラシ３の回転駆動機構４の構成は、機枠ｆの側壁上部間に上記シート送り用コロ軸１と平行した回転駆動軸４ａを支持し、この回転駆動軸４ａを駆動モータ４ｂによって回転させるようにしていると共に、回転駆動軸４ａに上記各回転ブラシ３の円板部３ａに一体に固着しているプーリ又はスプロケットホイール（図示せず）に対向させて小径のプーリ又はスプロケットホイール４ｃを固着し、これのプーリ間又はスポロケットホイール間にベルト又はチェーン４ｄを掛け渡してなるものである。なお、シート送り用コロ軸１の両側端部には公知のようにシート送り用コロ５、５が装着されている。
【００２１】
一方、シート送り用コロ軸１と共にダンボールシートＳを前方に送り出す上記シート送り用ローラ２の外周面には、図４に示すように、少なくとも回転ブラシ３のブラシが接する部分に複数条の周溝２ａが長さ方向に小間隔毎に設けていると共に、このシート送り用ローラ２は図３に示すように、回転ブラシ３との接触部分が開口６ａしている吸気ボックス６によって全面的に被覆されている。即ち、シート送り用ローラ２は上記機枠ｆの両側壁間に回転自在に支持されていると共に吸気ボックス６は両側壁の対向面にその両側端を固着してこの吸気ボックス６内にシート送り用ローラ２を収納した構造としてあり、その上端開口部６ａを通じてシート送り用コロ軸１に回転自在に装着している上記各回転ブラシ３の下周部をこのシート送り用ローラ２の上周部に接して回転させるようにしている。
【００２２】
さらに、吸気ボックス６の下端部の適所には紙粉排出管路７を連結、連通させてあり、この紙粉排出管路７は真空ポンプからなる吸気源（図示せず）に連通している。
【００２３】
このように構成したダンボールシートＳにおける切込み溝Ｓ２の紙粉除去装置の作用を述べると、まず、図５に示す製函機のダンボールシート供給機構Ａにその長さ方向を送り出し方向に対して直角方向に向けた状態、即ち、幅方向を送り出し方向に向けた状態で多数枚、積み重ねて収容されるダンボールシートＳは、図６（イ）に示すように、ダンボールシートＳがダンボールケースに組み立てられた状態における該ケースの胴体部の高さに等しい間隔を存して長辺に平行な二条の直線状折り曲げ線Ｓ５、Ｓ６が形成されている。
【００２４】
そして、このダンボールシートＳを公知のように、上記供給機構Ａからキッカによって一枚ずつ一定の間隔毎に送り出し、印刷装置Ｂによって角筒状胴体部となる面に適宜な印刷が施されたのち、罫線加工機Ｃの罫線ローラｃによって図６（ロ）に示すようにダンボールケースに組み立てられた状態における該ケースの角筒状胴体部の四方稜角部を折り曲げ形成するための罫線Ｓ１がダンボールシートＳの長さ方向に所定間隔毎にこのダンボールシートＳの前後長辺縁間に亘って加工される。
【００２５】
さらに、罫線加工を施されたダンボールシートＳはこの罫線加工機Ｃからスロット加工機Ｄに送り込まれて、スロット軸に上記各罫線ローラｃの前方に対向して配設されている複数のスロットローラｄによって、前後切込み溝Ｓ２、Ｓ２が形成される。これらの前後切込み溝Ｓ２は、各スロットローラｄの外周面に周方向にケースの胴体部の高さに等しい円弧長を存して装着されている２つの切り込み刃ｄ１、ｄ２によって上記各罫線Ｓ１、Ｓ１、Ｓ１における上記前側直線状折り曲げ線Ｓ５とダンボールシートＳの前端面との間の部分と、上記後側直線状折り曲げ線Ｓ６とダンボールシートＳの後端面との間の部分とにそれぞれ形成され、これらの前後切込み溝Ｓ２、Ｓ２によってダンボールシートＳをケースに組み立てた際における上蓋と底蓋のフラップＳ３、Ｓ４が分割形成される。
【００２６】
なお、Ｓ７は上記ダンボールシートＳの一側端縁に突設状態で形成さされている糊代片であり、この糊代片Ｓ７の前後両端部における基端にもスロット軸の一端部に配設されているスロットローラｄに装着された切り込み刃によって前後直線状折り曲げ線の一端に達した切込み溝Ｓ２’　、Ｓ２’　が形成される。
【００２７】
こうして、ダンボールシートＳの前後部にスロット加工機Ｄによって長さ方向に所定間隔毎に切込み溝Ｓ２を形成すると、これらの切込み溝Ｓ２の切り口、即ち端面には切り込み刃による切断時に発生した細かい切屑である多量の紙粉が付着している。この紙粉を上記ダイカッタユニットＦにおけるシート送り用コロ軸１に配設されている回転ブラシ３によって掻き落とし除去するものである。
【００２８】
具体的には、スロット加工機Ｄによって切込み溝Ｓ２を加工されたダンボールシートＳはスロット加工機Ｄのダンボールシート送り出し側に配設された上記ダイカッタユニットＦの上側のシート送り用コロ軸１と下側のシート送り用ローラ２との間に送り込まれると、上側のシート送り用コロ軸１には上記スロット加工機Ｄのスロット軸に装着されている複数個のスロットローラｄの各々のローラの前方に対向させて回転ブラシ３が配設されてあり、この回転ブラシ３は回転駆動機構４によって高速回転させられているため、ダンボールシートＳがこれらのシート送り用コロ軸１とシート送り用ローラ２間を通過中に、まず、先行して送り込まれる前側の切込み溝Ｓ２、Ｓ２’　にそれぞれ対応する回転ブラシ３が摺擦してこれらの切込み溝Ｓ２、Ｓ２’　に付着している紙粉が掻き落とされ、次いで、後側の切込み溝Ｓ２、Ｓ２’　に上記各回転ブラシ３が摺擦してこれらの切込み溝Ｓ２、Ｓ２’　に付着している紙粉が掻き落とされる。
【００２９】
そして、掻き落とされた紙粉は、吸気ボックス６の開口部６ａに臨んでいる下側のシート送り用ローラ２の周溝２ａの上周部内に直ちに受け入れられ、このシート送り用ローラ２の回転に従って吸気ボックス６内を下方に搬送されると共に紙粉排出管路７を通じて該吸気ボックス６内に発生している吸気作用（排出管路７の吸い込み力）によってシート送り用ローラ２の周溝２ａから離脱し、排出管路７を通じて排出処理されるものである。
【００３０】
なお、上記ダンボールシートＳの切込み溝Ｓ２に付着している紙粉を掻き落とし除去する回転ブラシ３は、上記回転駆動機構４によって強制回転を行わせることなく自然回転としておいてもよいものであり、また、回転ブラシ３ではなく、固定ブラシをシート送り用コロ軸１とは別な取り付け部材に上記切込み溝Ｓ２、Ｓ２’に対向する位置に複数本、配設した構造としておいてもよい。
【００３１】
こうして、切込み溝Ｓ２、Ｓ２’　に付着している紙粉を除去されたダンボールシートＳは、折り畳み装置Ｅに送り込まれて図１３に示すように、その長さ方向の両側部を両側の切込み溝Ｓ２、Ｓ２から偏平状に折り畳まれると共に糊代片Ｓ７に糊付けされて折り畳まれたダンボールシートＳの対向端部に該糊代片Ｓ７が一体に接着されたのち送り出され、複数枚、積み重ねられて梱包される。
【００３２】
次に、上記実施の形態においては、ダンボールシートＳの切込み溝Ｓ２の紙粉除去装置をダイカッタユニットＦにおけるシート送り用コロ軸１に設けているが、シート送り用コロ軸１に設けることなく、上記折り畳み装置Ｅ側に配設しておいてもよい。
【００３３】
図７、図９はその実施の形態を示すもので、図７に示すダンボールシートＳの切込み溝Ｓ２の紙粉除去装置においては、折り畳み装置Ｅにおけるシート搬送手段８の搬送開始端部上に配設した回転ブラシ３Ａによって構成してあり、図９に示すダンボールシートＳの切込み溝Ｓ２の紙粉除去装置においては、シート搬送手段８によるダンボールシートＳの搬送途上に配設した折り畳み装置Ｅにおける成形コロ９によって構成している。
【００３４】
詳しくは、シート搬送手段８は両側部に配設したエンドレスベルト８ａ、８ａと、これらのエンドレスベルト８ａ、８ａの下方に配設したガイド部材８ｂ、８ｂとガイド部材８ｂ、８ｂに沿って配設した送りローラ（図示せず）とからなり、ダンボールシートＳをエンドレスベルト８ａとガイド部材８ｂ間で挟持した状態で前方に搬送するように構成している。
【００３５】
このシート搬送手段８における搬送始端部の上方の機枠１０には、ダンボールシートＳにおける糊代片Ｓ７に形成されている切込み溝Ｓ２’　、Ｓ２’　に付着した紙粉を除去する回転ブラシ３Ａと、糊代片Ｓ７以外のダンボールシートＳの部分に形成されている上記切込み溝Ｓ２、Ｓ２、Ｓ２、における中央の切込み溝Ｓ２に付着した紙粉を除去する回転ブラシ３Ａ’　とが回転自在に軸支されている。
【００３６】
これらの回転ブラシ３Ａ、３Ａ’　はそれぞれ枠体１１、１１に回転自在に支持されていると共に上記機枠１０上に設置されている回転駆動モータ１２、１２によってプーリ間に掛け渡したベルト、或いはスプロケット間に掛け渡したチェーン等の回転伝達機構を介して回転させられる。なお、回転ブラシ３Ａ、３Ａ’　は、枠体１１、１１や回転駆動モータ１２、１２をシート搬送手段８の搬送方向に対して直交する方向に移動させる等によって、ダンボールシートＳの大きさに応じてその切込み溝Ｓ２、Ｓ２’　の上方位置に対応するように調整可能にしている。
【００３７】
このように構成したので、上記スロット加工機Ｄによって切込み溝Ｓ２、Ｓ２’　を加工されたダンボールシートＳは上記シート搬送手段８に達してこのシート搬送手段８のエンドレスベルト８ａ、８ａとガイド部材８ｂ、８ｂ間に挟持された状態で折り畳み装置Ｅに向かって搬送される。このように、ダンボールシートＳがシート搬送手段８によって搬送されて回転駆動モータ１２により高速回転している回転ブラシ３Ａ、３Ａ’　に達すると、この回転ブラシ３Ａ、３Ａ’　の下方を通過する時に、該ダンボールシートＳにおける糊代片Ｓ７に形成されている切込み溝Ｓ２’　と、糊代片Ｓ７以外のダンボールシートＳの部分に形成されている上記切込み溝Ｓ２、Ｓ２、Ｓ２、における中央の切込み溝Ｓ２とが図８に示すように、回転ブラシ３Ａ、３Ａ’　の下周部にそれぞれ摺接しながら通過し、これらの切込み溝Ｓ２、Ｓ２’　に付着している紙粉が掻き落とされるものである。
【００３８】
こうして、糊代片Ｓ７に形成されている切込み溝Ｓ２’　と中央の切込み溝Ｓ２とに付着している紙粉が上記回転ブラシ３Ａ、３Ａ’　によって掻き落とされたダンボールシートＳは、引き続いて、折り畳み装置Ｅに連続供給され、それ以外の切込み溝、即ち、折り畳み装置ＥによってダンボールシートＳが折り畳まれる部分に設けられている両側の切込み溝Ｓ２、Ｓ２に付着した紙粉の掻き落とし除去が行われる。なお、この両側の切込み溝Ｓ２、Ｓ２はエンドレスベルト８ａ、８ａに接近した位置を通過するので、この上方に上記回転ブラシを配設することが困難であるため、上述したように、糊代片Ｓ７に形成されている切込み溝Ｓ２’　と中央の切込み溝Ｓ２との紙粉掻き落とし除去用回転ブラシ３Ａ、３Ａ’　のみを配設しているものである。勿論、上記両側の切込み溝Ｓ２に対しても、その紙粉の掻き落とし除去が可能なように回転ブラシを配設し得る構造としておいてもよい。
【００３９】
折り畳み装置Ｅは、図９に示すように、ダンボールシートＳの両側部の進行方向に沿ってそれぞれ縦列状に配設された複数個の成形コロ９ａ、９ｂ、９ｃ・・・９ｎからなり、これらの成形コロ９ａ、９ｂ、９ｃ・・・９ｎの周面に形成されている成形溝９ａ’　、９ｂ’　、９ｃ’　・・・９ｎ’　は、図１０（イ）〜（ヘ）に示すように、ダンボールシートＳの上記両側切込み溝Ｓ２、Ｓ２から下方に直角に折り曲げられた両側部をさらに内側に向かって徐々に折り畳むように、両側部を受止する周溝を垂直状態から順次、適宜角度ずつその角度を減少、即ち、鋭角となるように順次傾斜させている。
【００４０】
なお、両側に縦列させた上記成形コロ列の内側には、ダンボールシートＳをその両側部が下方に向かって直角に折り曲げた状態に支持する支持ガイド１３、１３が平行に設けられてあり、さらに、上記シート搬送手段８による搬送始端部からこれらの成形コロ列に達するまでの間に、ダンボールシートＳの両側部を両側の切込み溝Ｓ２、Ｓ２から下方に直角に折り曲げるための成形板（図示せず）が配設されている。
【００４１】
ダンボールシートＳの両側切込み溝Ｓ２、Ｓ２に付着している紙粉の掻き落とし除去装置は、ダンボールシートＳの両側部に沿って配設されている上記成形コロ列における少なくとも一個、例えば、図１１、図１２に示すように、成形コロ９ｃ、９ｃの成形溝９ｃ’　に多数本のブラシ３ｂを放射状に植設してなるものである。
【００４２】
このように構成したので、上記シート搬送手段８の搬送始端部上方に配設した回転ブラシ３Ａ、３Ａ’　によって糊代片Ｓ７に形成されている切込み溝Ｓ２’　と中央の切込み溝Ｓ２とに付着している紙粉が掻き落とし除去されたダンボールシートＳは、未だ、紙粉が除去されていない両側の切込み溝Ｓ２、Ｓ２からその両側部を下方に直角に折り曲げられたのち、上記両側の成形コロ列に達し、これらの成形コロ９ａ、９ｂ、９ｃ・・・９ｎの成形溝９ａ’　、９ｂ’　、９ｃ’　・・・９ｎ’　によってその折り曲げ部が徐々の該ダンボールシートＳの中央部下面側に折り畳まれる。
【００４３】
そして、ダンボールシートＳがこれらの両側の成形コロ列を通過中に、上記ブラシ３ｂを植設してなる成形コロ９ｃ、９ｃに達すると、その両側の切込み溝Ｓ２、Ｓ２がこの成形コロ９ｃ、９ｃの成形溝９ｃ’　９ｃ’　の回転方向にその長さ方向を接しさせながらブラシ３ｂによって該切込み溝Ｓ２の端面に付着している紙粉が掻き落とし除去される。この際、ダンボールシートＳの前側に設けている両側の切込み溝Ｓ２、Ｓ２がまず、成形コロ９ｃ、９ｃのブラシ３ｂに摺接してその端面に付着している紙粉が掻き落とされ、次いで、後側に設けている両側の切込み溝Ｓ２、Ｓ２が成形コロ９ｃ、９ｃのブラシ３ｂに摺接してその端面に付着している紙粉が掻き落とされる。
【００４４】
こうして、ダンボールシートＳに設けられている全ての切込み溝Ｓ２、Ｓ２’　に付着した紙粉がブラシによって掻き落とされたのち、ダンボールシートＳが完全に折り畳まれてその一側端縁に設けている糊代片Ｓ７を該ダンボールシートＳの他側端部に重ね合わせ、該糊代片Ｓ７に折り畳み装置Ｅを通過中に塗布しておいた糊によって一体に接着したのち、所定枚数毎に梱包されるものである。
【００４５】
なお、以上の実施の形態において、例えば、上記シート搬送手段８の搬送始端部の上方に、ダンボールシートＳの全ての切込み溝Ｓ２、Ｓ２’　、即ち、前後１組として４組の切込み溝Ｓ２、Ｓ２’　にそれぞれ対応させて回転ブラシ３Ａ、３Ａ’　を配設しておいてもよく、この場合には、折り畳み装置Ｅ側にはブラシを設ける必要はないものであり、同様に、折り畳み装置Ｅ側に上記ブラシ３ｂを設けている成形コロ９ｃ、９ｃと共にその他の切込み溝Ｓ２、Ｓ２’　に対応させて掻き落としブラシを配設しておけば上記シート搬送手段８の搬送始端部側には掻き落としブラシを設けておく必要はない。
【００４６】
【発明の効果】
以上のように、本発明の請求項１に係るダンボールシートの切込み溝の紙粉除去装置によれば、罫線及び切込み溝を加工されたダンボールシートの搬送途上に、切込み溝加工時において該切込み溝に付着した切り屑である紙粉の掻き落とし用ブラシを配設しているので、罫線及び切込み溝を形成、加工されたダンボールシートを連続的に搬送しながらその搬送途上に配設したブラシによって、切込み溝に付着している紙粉を確実に掻き落とし除去することができ、このダンボールシートをケースに組み立てて食品等の物品を収納しても、紙粉によって外観を損したり、紙粉が物品に付着する虞れをなくすることができる。
【００４７】
上記ダンボールシートの切込み溝の紙粉除去装置において、請求項２に係る発明は、掻き落としブラシは回転ブラシであって、この回転ブラシを、スロット加工機のダンボールシート送り出し側に配設された上下一対のシート送り用コロ軸とシート送り用ローラにおける上側のシート送り用コロ軸に、上記スロット加工機のスロット軸に一定間隔毎に装着されている各スロットローラの後方にそれぞれ対応させてこれらのスロットローラと同一間隔毎に装着しているので、従来の製函機に設けている上記シート送り用コロ軸を利用してこのコロ軸の所定の位置にスロット加工機における各スロットローラと対応させて回転ブラシを簡単に且つ正確に装着することができ、これらのシート送り用コロ軸とシート送り用ローラ間を通過するダンボールシートの各切込み溝に回転ブラシを摺接させて切込み溝に付着している紙粉を確実に掻き落とすことができる。
【００４８】
その上、上記請求項２に記載の発明において、請求項３に係る発明は、上記上下一対のシート送り用コロ軸とシート送り用ローラにおいて、下側のシート送り用ローラにおける上記回転ブラシが接する外周面に複数条の周溝を設けていると共に、このシート送り用ローラを回転ブラシとの接触部分が開口している吸気ボックスによって被覆し、この吸気ボックスを吸気源に紙粉排出管路を通じて連通させているので、これらのシート送り用コロ軸とシート送り用ローラ間を通過するダンボールシートにおける各切込み溝に付着している紙粉を上側のシート送り用コロ軸に装着している回転ブラシによって掻き落とした時に、この紙粉をシート送り用ローラの周溝の上周部内に一旦、取り込むことができ、しかるのち、該シート送り用ローラの回転に伴って紙粉が下方に移動した時に、吸気ボックス内に発生している吸気力により周溝から離脱させて排出管路を通じて外部に排出することができ、従って、紙粉が作業現場に浮遊することなく良好な作業環境を得ることができる。
【００４９】
一方、請求項４に係る発明によれば、ダンボールシートの折り畳み装置におけるシート搬送手段の搬送始端部側の上方に、このシート搬送手段上に供給されるダンボールシートに設けている切込み溝に対向させてモータ駆動によって回転する回転ブラシを配設しているので、この回転ブラシの下方を移動するダンボールシートの切込み溝に付着している紙粉を、該切込み溝の長さ方向に回転ブラシを相対的に回転摺接させながら簡単に掻き落とし除去することができ、その上、ダンボールシートの大きさによって変化する切込み溝の位置に対応するように、上記回転ブラシの位置調整も容易に行うことができる。
【００５０】
また、請求項５に係る発明によれば、ダンボールシートの両側に沿って該ダンボールシートの送り方向に縦列状に配設され且つダンボールシートの両側部を切込み溝から徐々に折り曲げていく複数個の成形コロからなるダンボールシートの折り畳み装置において、これらの成形コロにおける少なくとも１個の成形コロの成形溝の外周面にブラシを植設することによって掻き落としブラシを形成しているので、上記請求項４に記載の回転ブラシによって掻き落とし除去することが困難な折り畳み部分の切込み溝に付着した紙粉を該ブラシを植設している成形コロによって確実に除去することができる。
【図面の簡単な説明】
【図１】スロット加工機の送り出し側に配設したダイカッタユニットの簡略側面図、
【図２】その簡略斜視図、
【図３】簡略縦断側面図、
【図４】シート送り用ローラの簡略正面図とその一部拡大図、
【図５】製函機全体の簡略側面図、
【図６】（イ）は切込み溝を形成する前のダンボールシートの斜視図、（ロ）は切込み溝を形成したダンボールシートの斜視図、
【図７】紙粉掻き落とし除去装置の別な実施の形態を示す簡略斜視図、
【図８】紙粉を掻き落とし除去している状態の一部の簡略正面図、
【図９】ダンボールシートの折り畳み装置の簡略斜視図、
【図１０】（イ）〜（ヘ）はその折り畳み順序を示す説明図、
【図１１】ブラシを植設している成形コロの正面図、
【図１２】その横断面図、
【図１３】折り畳まれたダンボールシートの斜視図。
【符号の説明】
Ｓ　ダンボールシート
Ｓ２、Ｓ２’　切込み溝
Ｄ　スロット加工機
Ｅ　折り畳み装置
１　シート送り用コロ軸
２　シート送り用ローラ
２ａ　周溝
３、３Ａ、３Ａ’　　回転ブラシ
４　回転駆動機構
６　吸気ボックス
８　シート搬送手段
９　成形コロ
【図１】
2004098226.tif 000003
【図２】
2004098226.tif 000004
【図３】
2004098226.tif 000005
【図４】
2004098226.tif 000006
【図５】
2004098226.tif 000007
【図６】
2004098226.tif 000008
【図７】
2004098226.tif 000009
【図８】
2004098226.tif 000010
【図９】
2004098226.tif 000011
【図１０】
2004098226.tif 000012
【図１１】
2004098226.tif 000013
【図１２】
2004098226.tif 000014
【図１３】
2004098226.tif 000015